(57)【要約】【課題】移行元セッション制御サーバ装置に障害が発生した場合であっても移行先セッション制御サーバ装置への移行を行う。【解決手段】移行先セッション制御サーバ装置２ｂが、移行先セッション制御サーバ装置２ｂを使用するタイミングにエッジルータ１から送信されるサービスチェンジ信号を受信したなら、端末装置５に再構成要求を送信し、移行先セッション制御サーバ装置２ｂが、端末装置５から応答を受信したなら、該当の加入者データの有無を判定し、加入者データがないなら、管理サーバに加入者データを要求する。管理サーバは、加入者データを移行先セッション制御サーバ装置２ｂに送信し、該当のルーチング情報を変更する。移行先セッション制御サーバ装置２ｂは、加入者データを受信し蓄積する。。【選択図】図１
2011172056.tif 000002
【特許請求の範囲】
【請求項１】
呼処理システムが、移行元セッション制御サーバ装置に蓄積されていた加入者データを移行先セッション制御サーバ装置に蓄積させるときに行う加入者収容変更方法であって、
前記呼処理システムは、エッジルータを介して端末装置に接続された前記移行先セッション制御サーバ装置と、前記移行先セッション制御サーバ装置に接続された管理サーバと、を備え、
前記管理サーバは、
前記端末装置についての呼の処理に使用される加入者データが蓄積される加入者データ蓄積部と、
前記端末装置についての呼のルーチングに関する前記移行元セッション制御サーバ装置を使用するときのルーチング情報が蓄積されるルーチング情報蓄積部を有し、
前記移行先セッション制御サーバ装置は、
前記端末装置についての呼の処理に使用される加入者データを蓄積するための加入者データ蓄積部を有し、
前記加入者収容変更方法は、
前記移行先セッション制御サーバ装置が、該移行先セッション制御サーバ装置を使用するタイミングに前記エッジルータから送信されるサービスチェンジ信号を受信したなら、前記端末装置に所定の信号を送信し、
前記移行先セッション制御サーバ装置が、前記所定の信号に対する応答を前記端末装置から受信したなら、前記移行先セッション制御サーバ装置の加入者データ蓄積部を参照し、該当の加入者データの有無を判定し、
前記移行先セッション制御サーバ装置が、該当の加入者データがないと判定されたなら、前記管理サーバに加入者データを要求し、
前記管理サーバが、前記移行先セッション制御サーバ装置から加入者データを要求されたなら、前記管理サーバの加入者データ蓄積部から該当の加入者データを読み出し、前記移行先セッション制御サーバ装置に送信し、
前記管理サーバが、前記移行先セッション制御サーバ装置から加入者データを要求されたなら、前記ルーチング情報蓄積部において、該当のルーチング情報を前記移行先セッション制御サーバ装置を使用するときのルーチング情報に変更し、
前記移行先セッション制御サーバ装置が、前記管理サーバから送信された加入者データを受信し、前記移行先セッション制御サーバ装置の加入者データ蓄積部に蓄積する
ことを特徴とする加入者収容変更方法。
【請求項２】
移行元セッション制御サーバ装置に蓄積されていた加入者データを受信して蓄積する移行先セッション制御サーバ装置であって、
前記移行先セッション制御サーバ装置は、エッジルータを介して端末装置に接続されるとともに、前記加入者データを前記移行先セッション制御サーバ装置に送信する管理サーバに接続され、且つ、
前記管理サーバは、
前記端末装置についての呼の処理に使用される加入者データが蓄積される加入者データ蓄積部と、
前記端末装置についての呼のルーチングに関する前記移行元セッション制御サーバ装置を使用するときのルーチング情報が蓄積されるルーチング情報蓄積部と、
前記移行先セッション制御サーバ装置からいずれかの加入者データを要求されたなら、前記加入者データ蓄積部から該当の加入者データを読み出し、前記移行先セッション制御サーバ装置に送信するとともに、前記ルーチング情報蓄積部における該当のルーチング情報を前記移行先セッション制御サーバ装置を使用するときのルーチング情報に変更する一方、前記移行先セッション制御サーバ装置から呼の処理に使用するルーチング情報を要求されたなら、前記ルーチング情報蓄積部から該当のルーチング情報を読み出し、前記移行先セッション制御サーバ装置に送信する移行加入者制御部と有し、
前記移行先セッション制御サーバ装置は、
前記端末装置についての呼の処理に使用される加入者データを蓄積するための加入者データ蓄積部と、
前記移行先セッション制御サーバ装置を使用するタイミングに前記エッジルータから送信されるサービスチェンジ信号を受信したなら、前記端末装置に所定の信号を送信するアドレス管理部と、
前記所定の信号に対する応答を前記端末装置から受信したなら、前記移行先セッション制御サーバ装置の加入者データ蓄積部を参照し、該当の加入者データの有無を判定し、該当の加入者データがないと判定されたなら、前記管理サーバに要求して、該当の加入者データを受信し、前記加入者データ蓄積部に蓄積させる加入者データ制御部と、
前記端末装置についての呼の処理に際し、前記加入者データ蓄積部から加入者データを読み出すとともに、前記管理サーバに要求して、該当のルーチング情報を受信し、当該加入者データおよびルーチング情報を使用して呼の処理を行うセッション制御部と
を有することを特徴とする移行先セッション制御サーバ装置。
【請求項３】
移行元セッション制御サーバ装置に蓄積されていた加入者データを移行先セッション制御サーバ装置に送信する管理サーバであって、
前記移行先セッション制御サーバ装置は、エッジルータを介して端末装置に接続されるとともに、前記管理サーバに接続され、且つ、
前記管理サーバは、
前記端末装置についての呼の処理に使用される加入者データが蓄積される加入者データ蓄積部と、
前記端末装置についての呼のルーチングに関する前記移行元セッション制御サーバ装置を使用するときのルーチング情報が蓄積されるルーチング情報蓄積部と、
前記移行先セッション制御サーバ装置を使用するタイミングに前記エッジルータから送信されるサービスチェンジ信号を前記移行先セッション制御サーバ装置が受信したことにより、前記移行先セッション制御サーバ装置からいずれかの加入者データを要求されたなら、前記加入者データ蓄積部から該当の加入者データを読み出し、前記移行先セッション制御サーバ装置に送信するとともに、前記ルーチング情報蓄積部における該当のルーチング情報を前記移行先セッション制御サーバ装置を使用するときのルーチング情報に変更する一方、前記移行先セッション制御サーバ装置から呼の処理に使用するルーチング情報を要求されたなら、前記ルーチング情報蓄積部から該当のルーチング情報を読み出し、前記移行先セッション制御サーバ装置に送信する移行加入者制御部と
を有することを特徴とする管理サーバ。
【請求項４】
呼処理システムが、移行元セッション制御サーバ装置に蓄積されていた加入者データを移行先セッション制御サーバ装置に蓄積させるときに行う加入者収容変更方法であって、
前記呼処理システムは、エッジルータを介して端末装置に接続された前記移行先セッション制御サーバ装置と、前記移行先セッション制御サーバ装置に接続された管理サーバと、を備え、
前記管理サーバは、
前記端末装置についての呼のルーチングに関する前記移行元セッション制御サーバ装置を使用するときのルーチング情報が蓄積されるルーチング情報蓄積部を有し、
前記移行先セッション制御サーバ装置は、
前記端末装置についての呼の処理に使用される加入者データを蓄積するための加入者データ蓄積部を有し、
前記加入者収容変更方法は、
前記移行先セッション制御サーバ装置が、前記管理サーバから送信される加入者データを前記加入者データ蓄積部に予め蓄積しておき、
前記移行先セッション制御サーバ装置が、該移行先セッション制御サーバ装置を使用するタイミングに前記エッジルータから送信されるサービスチェンジ信号を受信したなら、前記管理サーバに全ルーチング情報の変更を要求し、
前記管理サーバが、前記移行先セッション制御サーバ装置から全ルーチング情報の変更を要求されたなら、前記ルーチング情報蓄積部における全ルーチング情報を前記移行先セッション制御サーバ装置を使用するときのルーチング情報に変更する
ことを特徴とする加入者収容変更方法。
【請求項５】
移行元セッション制御サーバ装置に蓄積されていた加入者データを受信して蓄積する移行先セッション制御サーバ装置であって、
前記移行先セッション制御サーバ装置は、エッジルータを介して端末装置に接続されるとともに、前記加入者データを前記移行先セッション制御サーバ装置に送信する管理サーバに接続され、且つ、
前記管理サーバは、
前記端末装置についての呼のルーチングに関する前記移行元セッション制御サーバ装置を使用するときのルーチング情報が蓄積されるルーチング情報蓄積部と、
前記移行先セッション制御サーバ装置から全ルーチング情報の変更を要求されたなら、前記ルーチング情報蓄積部における全ルーチング情報を前記移行先セッション制御サーバ装置を使用するときのルーチング情報に変更する一方、前記移行先セッション制御サーバ装置から呼の処理に使用するルーチング情報を要求されたなら、前記ルーチング情報蓄積部から該当のルーチング情報を読み出し、前記移行先セッション制御サーバ装置に送信する移行加入者制御部とを有し、
前記移行先セッション制御サーバ装置は、
前記端末装置についての呼の処理に使用される加入者データが予め蓄積される加入者データ蓄積部と、
前記移行先セッション制御サーバ装置を使用するタイミングに前記エッジルータから送信されるサービスチェンジ信号を受信したなら、前記管理サーバに全ルーチング情報の変更を要求する加入者データ制御部と、
前記端末装置についての呼の処理に際し、前記加入者データ蓄積部から加入者データを読み出すとともに、前記管理サーバに要求して、該当のルーチング情報を受信し、当該加入者データおよびルーチング情報を使用して呼の処理を行うセッション制御部と
を有することを特徴とする移行先セッション制御サーバ装置。
【請求項６】
移行元セッション制御サーバ装置に蓄積されていた加入者データを移行先セッション制御サーバ装置に送信する管理サーバであって、
前記移行先セッション制御サーバ装置は、エッジルータを介して端末装置に接続されるとともに、前記管理サーバに接続され、且つ、
前記管理サーバは、
前記端末装置についての呼のルーチングに関する前記移行元セッション制御サーバ装置を使用するときのルーチング情報が蓄積されるルーチング情報蓄積部と、
前記移行先セッション制御サーバ装置を使用するタイミングに前記エッジルータから送信されるサービスチェンジ信号を前記移行先セッション制御サーバ装置が受信したことにより、前記移行先セッション制御サーバ装置から全ルーチング情報の変更を要求されたなら、前記ルーチング情報蓄積部における全ルーチング情報を前記移行先セッション制御サーバ装置を使用するときのルーチング情報に変更する一方、前記移行先セッション制御サーバ装置から呼の処理に使用するルーチング情報を要求されたなら、前記ルーチング情報蓄積部から該当のルーチング情報を読み出し、前記移行先セッション制御サーバ装置に送信する移行加入者制御部と
を有することを特徴とする管理サーバ。
【請求項７】
請求項１または４記載の加入者収容変更方法をコンピュータに実行させるためのコンピュータプログラム。
【請求項８】
請求項２または５記載の移行先セッション制御サーバ装置としてコンピュータを機能させるためのコンピュータプログラム。
【請求項９】
請求項３または６記載の管理サーバとしてコンピュータを機能させるためのコンピュータプログラム。
【発明の詳細な説明】
【技術分野】
【０００１】
本発明は、移行元セッション制御サーバ装置に障害が発生した場合であっても移行先セッション制御サーバ装置への移行が可能な加入者収容変更方法、移行先セッション制御サーバ装置および管理サーバに関するものである。
【背景技術】
【０００２】
通信ネットワークにおいては、加入者の増大、設備装置の更改等にともない、それまで一つのセッション制御サーバ装置で制御していた加入者の一部あるいは全部を別のセッション制御サーバ装置に移行させることが必要になってくる。こうした場合にあっては加入者へのサービスが中断しないようにして移行させることが重要になる。
【０００３】
従来、使用中のセッション制御サーバ装置から新しいセッション制御サーバ装置への加入者の移行が処理を中断することなく継続できるようにする技術として、特許文献１に開示されたものがある。この技術は、加入者を既存のセッション制御サーバ装置から新しいセッション制御サーバ装置に移行させる場合に、アクセス先のセッション制御サーバ装置を既存のセッション制御サーバ装置から新しいセッション制御サーバ装置へ変更した後、移行対象加入者からの呼接続要求を機会に新しいセッション制御サーバ装置から、既存のセッション制御サーバ装置へアクセスし、加入者データを取得するものである。これにより、移行対象者へのサービスが中断することなく通信サービス制御装置の移行が可能となる。
【０００４】
しかしながら、セッション制御サーバ装置が障害を起こしたことにより加入者を移行させたいという場合には、そのセッション制御サーバ装置から別なセッション制御サーバ装置への加入者データの移し変えは困難である。移し変えができなければ移行はできなくなり、また障害を起こしたセッション制御サーバ装置を含む周囲のセッション制御サーバ装置についてのルーチングの変更は保守稼動がかかる。さらに、移行対象加入者のデータ移行前に移行対象加入者へ着信接続要求があり、かつ接続時に移行対象加入者の加入者データを参照する必要がある場合は、障害を起こしたセッション制御サーバ装置に加入者データがある状態で、新しいセッション制御サーバ装置へルーチングがされるため、加入者データを参照できずサービスが中断してしまう。
【先行技術文献】
【特許文献】
【０００５】
【特許文献１】特開２００２−２５２７００号公報
【発明の概要】
【発明が解決しようとする課題】
【０００６】
本発明は、上記の課題に鑑みてなされたものであり、その目的とするところは、移行元セッション制御サーバ装置に障害が発生した場合であっても移行先セッション制御サーバ装置への移行が可能な加入者収容変更方法、移行先セッション制御サーバ装置および管理サーバを提供することにある。
【課題を解決するための手段】
【０００７】
上記の課題を解決するために、第１の本発明は、呼処理システムが、移行元セッション制御サーバ装置に蓄積されていた加入者データを移行先セッション制御サーバ装置に蓄積させるときに行う加入者収容変更方法であって、前記呼処理システムは、エッジルータを介して端末装置に接続された前記移行先セッション制御サーバ装置と、前記移行先セッション制御サーバ装置に接続された管理サーバと、を備え、前記管理サーバは、前記端末装置についての呼の処理に使用される加入者データが蓄積される加入者データ蓄積部と、前記端末装置についての呼のルーチングに関する前記移行元セッション制御サーバ装置を使用するときのルーチング情報が蓄積されるルーチング情報蓄積部を有し、前記移行先セッション制御サーバ装置は、前記端末装置についての呼の処理に使用される加入者データを蓄積するための加入者データ蓄積部を有し、前記加入者収容変更方法は、前記移行先セッション制御サーバ装置が、該移行先セッション制御サーバ装置を使用するタイミングに前記エッジルータから送信されるサービスチェンジ信号を受信したなら、前記端末装置に所定の信号を送信し、前記移行先セッション制御サーバ装置が、前記所定の信号に対する応答を前記端末装置から受信したなら、前記移行先セッション制御サーバ装置の加入者データ蓄積部を参照し、該当の加入者データの有無を判定し、前記移行先セッション制御サーバ装置が、該当の加入者データがないと判定されたなら、前記管理サーバに加入者データを要求し、前記管理サーバが、前記移行先セッション制御サーバ装置から加入者データを要求されたなら、前記管理サーバの加入者データ蓄積部から該当の加入者データを読み出し、前記移行先セッション制御サーバ装置に送信し、前記管理サーバが、前記移行先セッション制御サーバ装置から加入者データを要求されたなら、前記ルーチング情報蓄積部において、該当のルーチング情報を前記移行先セッション制御サーバ装置を使用するときのルーチング情報に変更し、前記移行先セッション制御サーバ装置が、前記管理サーバから送信された加入者データを受信し、前記移行先セッション制御サーバ装置の加入者データ蓄積部に蓄積することを特徴とする。
【０００８】
また、第２の本発明は、移行元セッション制御サーバ装置に蓄積されていた加入者データを受信して蓄積する移行先セッション制御サーバ装置であって、前記移行先セッション制御サーバ装置は、エッジルータを介して端末装置に接続されるとともに、前記加入者データを前記移行先セッション制御サーバ装置に送信する管理サーバに接続され、且つ、前記管理サーバは、前記端末装置についての呼の処理に使用される加入者データが蓄積される加入者データ蓄積部と、前記端末装置についての呼のルーチングに関する前記移行元セッション制御サーバ装置を使用するときのルーチング情報が蓄積されるルーチング情報蓄積部と、前記移行先セッション制御サーバ装置からいずれかの加入者データを要求されたなら、前記加入者データ蓄積部から該当の加入者データを読み出し、前記移行先セッション制御サーバ装置に送信するとともに、前記ルーチング情報蓄積部における該当のルーチング情報を前記移行先セッション制御サーバ装置を使用するときのルーチング情報に変更する一方、前記移行先セッション制御サーバ装置から呼の処理に使用するルーチング情報を要求されたなら、前記ルーチング情報蓄積部から該当のルーチング情報を読み出し、前記移行先セッション制御サーバ装置に送信する移行加入者制御部と有し、前記移行先セッション制御サーバ装置は、前記端末装置についての呼の処理に使用される加入者データを蓄積するための加入者データ蓄積部と、前記移行先セッション制御サーバ装置を使用するタイミングに前記エッジルータから送信されるサービスチェンジ信号を受信したなら、前記端末装置に所定の信号を送信するアドレス管理部と、前記所定の信号に対する応答を前記端末装置から受信したなら、前記移行先セッション制御サーバ装置の加入者データ蓄積部を参照し、該当の加入者データの有無を判定し、該当の加入者データがないと判定されたなら、前記管理サーバに要求して、該当の加入者データを受信し、前記加入者データ蓄積部に蓄積させる加入者データ制御部と、前記端末装置についての呼の処理に際し、前記加入者データ蓄積部から加入者データを読み出すとともに、前記管理サーバに要求して、該当のルーチング情報を受信し、当該加入者データおよびルーチング情報を使用して呼の処理を行うセッション制御部とを有することを特徴とする。
【０００９】
また、第３の本発明は、移行元セッション制御サーバ装置に蓄積されていた加入者データを移行先セッション制御サーバ装置に送信する管理サーバであって、前記移行先セッション制御サーバ装置は、エッジルータを介して端末装置に接続されるとともに、前記管理サーバに接続され、且つ、前記管理サーバは、前記端末装置についての呼の処理に使用される加入者データが蓄積される加入者データ蓄積部と、前記端末装置についての呼のルーチングに関する前記移行元セッション制御サーバ装置を使用するときのルーチング情報が蓄積されるルーチング情報蓄積部と、前記移行先セッション制御サーバ装置を使用するタイミングに前記エッジルータから送信されるサービスチェンジ信号を前記移行先セッション制御サーバ装置が受信したことにより、前記移行先セッション制御サーバ装置からいずれかの加入者データを要求されたなら、前記加入者データ蓄積部から該当の加入者データを読み出し、前記移行先セッション制御サーバ装置に送信するとともに、前記ルーチング情報蓄積部における該当のルーチング情報を前記移行先セッション制御サーバ装置を使用するときのルーチング情報に変更する一方、前記移行先セッション制御サーバ装置から呼の処理に使用するルーチング情報を要求されたなら、前記ルーチング情報蓄積部から該当のルーチング情報を読み出し、前記移行先セッション制御サーバ装置に送信する移行加入者制御部とを有することを特徴とする。
【００１０】
また、第４の本発明は、呼処理システムが、移行元セッション制御サーバ装置に蓄積されていた加入者データを移行先セッション制御サーバ装置に蓄積させるときに行う加入者収容変更方法であって、前記呼処理システムは、エッジルータを介して端末装置に接続された前記移行先セッション制御サーバ装置と、前記移行先セッション制御サーバ装置に接続された管理サーバと、を備え、前記管理サーバは、前記端末装置についての呼のルーチングに関する前記移行元セッション制御サーバ装置を使用するときのルーチング情報が蓄積されるルーチング情報蓄積部を有し、前記移行先セッション制御サーバ装置は、前記端末装置についての呼の処理に使用される加入者データを蓄積するための加入者データ蓄積部を有し、前記加入者収容変更方法は、前記移行先セッション制御サーバ装置が、前記管理サーバから送信される加入者データを前記加入者データ蓄積部に予め蓄積しておき、前記移行先セッション制御サーバ装置が、該移行先セッション制御サーバ装置を使用するタイミングに前記エッジルータから送信されるサービスチェンジ信号を受信したなら、前記管理サーバに全ルーチング情報の変更を要求し、前記管理サーバが、前記移行先セッション制御サーバ装置から全ルーチング情報の変更を要求されたなら、前記ルーチング情報蓄積部における全ルーチング情報を前記移行先セッション制御サーバ装置を使用するときのルーチング情報に変更することを特徴とする。
【００１１】
また、第５の本発明は、移行元セッション制御サーバ装置に蓄積されていた加入者データを受信して蓄積する移行先セッション制御サーバ装置であって、前記移行先セッション制御サーバ装置は、エッジルータを介して端末装置に接続されるとともに、前記加入者データを前記移行先セッション制御サーバ装置に送信する管理サーバに接続され、且つ、前記管理サーバは、前記端末装置についての呼のルーチングに関する前記移行元セッション制御サーバ装置を使用するときのルーチング情報が蓄積されるルーチング情報蓄積部と、
前記移行先セッション制御サーバ装置から全ルーチング情報の変更を要求されたなら、前記ルーチング情報蓄積部における全ルーチング情報を前記移行先セッション制御サーバ装置を使用するときのルーチング情報に変更する一方、前記移行先セッション制御サーバ装置から呼の処理に使用するルーチング情報を要求されたなら、前記ルーチング情報蓄積部から該当のルーチング情報を読み出し、前記移行先セッション制御サーバ装置に送信する移行加入者制御部とを有し、前記移行先セッション制御サーバ装置は、前記端末装置についての呼の処理に使用される加入者データが予め蓄積される加入者データ蓄積部と、前記移行先セッション制御サーバ装置を使用するタイミングに前記エッジルータから送信されるサービスチェンジ信号を受信したなら、前記管理サーバに全ルーチング情報の変更を要求する加入者データ制御部と、前記端末装置についての呼の処理に際し、前記加入者データ蓄積部から加入者データを読み出すとともに、前記管理サーバに要求して、該当のルーチング情報を受信し、当該加入者データおよびルーチング情報を使用して呼の処理を行うセッション制御部とを有することを特徴とする。
【００１２】
また、第６の本発明は、移行元セッション制御サーバ装置に蓄積されていた加入者データを移行先セッション制御サーバ装置に送信する管理サーバであって、前記移行先セッション制御サーバ装置は、エッジルータを介して端末装置に接続されるとともに、前記管理サーバに接続され、且つ、前記管理サーバは、前記端末装置についての呼のルーチングに関する前記移行元セッション制御サーバ装置を使用するときのルーチング情報が蓄積されるルーチング情報蓄積部と、前記移行先セッション制御サーバ装置を使用するタイミングに前記エッジルータから送信されるサービスチェンジ信号を前記移行先セッション制御サーバ装置が受信したことにより、前記移行先セッション制御サーバ装置から全ルーチング情報の変更を要求されたなら、前記ルーチング情報蓄積部における全ルーチング情報を前記移行先セッション制御サーバ装置を使用するときのルーチング情報に変更する一方、前記移行先セッション制御サーバ装置から呼の処理に使用するルーチング情報を要求されたなら、前記ルーチング情報蓄積部から該当のルーチング情報を読み出し、前記移行先セッション制御サーバ装置に送信する移行加入者制御部とを有することを特徴とする。
【発明の効果】
【００１３】
本発明によれば、移行元セッション制御サーバ装置に障害が発生した場合であっても移行先セッション制御サーバ装置への移行を行うことが可能となる。
【図面の簡単な説明】
【００１４】
【図１】本実施の形態に係る加入者収容変更方法を行う呼処理システムの構成例を示す接続図である。
【図２】図１の呼処理システムにおけるセッション制御サーバ装置２およびＨＳＳ３の構成例を示す図である。
【図３】図２のセッション制御サーバ装置２の動作例を示すフローチャートである。
【図４】図２のＨＳＳ３の動作例を示すフローチャートである。
【図５】図１のシステムの動作例を示すシーケンスチャートである。
【発明を実施するための形態】
【００１５】
以下、本発明の実施の形態に係る加入者収容変更方法、移行先セッション制御サーバ装置および管理サーバについて図面を参照して説明する。
【００１６】
図１は、本実施の形態に係る加入者収容変更方法を行う呼処理システムの構成例を示す接続図である。
【００１７】
呼処理システムは、エッジルータ１と、移行元セッション制御サーバ装置２ａと、移行先セッション制御サーバ装置２ｂ（以下、どのセッション制御サーバ装置であるかを特定しない場合はセッション制御サーバ装置２と称する）と、管理サーバ（Home Subscriber Serverと称されるもので、以下、「ＨＳＳ」という）３と、ＯＰＳ（Operation System）４と、複数の端末装置５を有して構成される。端末装置５は、加入者により使用されるものである。
【００１８】
移行元セッション制御サーバ装置２ａと移行先セッション制御サーバ装置２ｂの一方がエッジルータ１に接続され、ＨＳＳ３は移行元セッション制御サーバ装置２ａおよび移行先セッション制御サーバ装置２ｂの両方に接続され、ＯＰＳ４はＨＳＳ３に接続され、端末装置５はエッジルータ１に接続される。
【００１９】
エッジルータ１は、移行元セッション制御サーバ装置２ａと移行先セッション制御サーバ装置２ｂの一方と端末装置５の間でパケットの送受信を行うエッジルータ装置である。
【００２０】
セッション制御サーバ装置２は、ＩＰアドレスの配信やＨＳＳ３から送信される加入者データを蓄積し、ＳＩＰ（Session Initiation Protocol）信号によるセッション制御を行うなどの機能を有するサーバ装置である。セッション制御サーバ装置２の詳細についてはこの後説明する。
【００２１】
ＨＳＳ３は、加入者データやルーチング情報等を管理するサーバ装置である。ルーチング情報とは、端末装置５により送受信される呼のルーチングに関する情報である。ＨＳＳ３の詳細についてはこの後説明する。
【００２２】
ＯＰＳ４は、加入者データやルーチング情報等をＨＳＳ３に設定する機能を有するシステムである。
【００２３】
端末装置５は、通信サービスを利用する利用者が操作する端末装置である。
【００２４】
なお、図１では、移行元セッション制御サーバ装置２ａあるいは移行先セッション制御サーバ装置２ｂに接続されるエッジルータ１は１つであるが、さらに多く存在していてもよい。
【００２５】
またエッジルータ１に接続した端末装置５は１つであるが、さらに多く存在していてもよい。
【００２６】
次に、呼処理システムの機能について説明する。
【００２７】
（呼処理システムの機能）
ＨＳＳ３は、ＯＰＳからの指示に基づき、移行対象者の加入者データに対し、移行対象者であることを示すフラグを設定し、また移行対象者とその移行先である移行先セッション制御サーバ装置２ｂを示す移行先情報を蓄積する。
【００２８】
移行先セッション制御サーバ装置２ｂは、移行元セッション制御サーバ装置２ａから移行先セッション制御サーバ装置２ｂに切り替えたことを表わすサービスチェンジ信号をエッジルータ１から受信後、各加入者端末からのＤＨＣＰ信号の受信を契機に、当該加入者の加入者データの有無を判断し、加入者データがない場合はＨＳＳ３に加入者データを要求する。サービスチェンジ信号は、切り替えのタイミングすなわち移行先セッション制御サーバ装置を使用するタイミングに送信される。
【００２９】
ＨＳＳ３は、正当性を確認し、加入者データを移行先セッション制御サーバ装置２ｂへ送信するとともに、ＨＳＳ３が保持するルーチング情報を変更する。これにより、加入者収容変更ができる。
【００３０】
または、移行先セッション制御サーバ装置２ｂは、サービスチェンジ信号を受信すると、ＨＳＳ３に全移行対象者の加入者データを要求する。
【００３１】
ＨＳＳ３は、正当性を確認し、加入者データを送信し、ルーチング情報を変更する。
【００３２】
また、ＨＳＳ３は、移行先セッション制御サーバ装置２ｂを使用する前に、加入者データを送信しておき、移行先セッション制御サーバ装置がサービスチェンジ信号を受信した契機に、エッジルータ配下の全加入者のルーチング情報を変更することができるようにする。
【００３３】
呼処理システムは、様々な状況下での加入者収容変更つまり、（１）事前に計画を立てることができる状況下で、移行元セッション制御サーバ装置２ａに収容されている加入者を全て移行先セッション制御サーバ装置２ｂに移行させる場合、（２）移行元セッション制御サーバ装置２ａに収容されている一部の加入者を移行先セッション制御サーバ装置２ｂに移行させる場合、（３）移行元セッション制御サーバ装置２ａに接続された特定のエッジルータ１に接続されている加入者を移行先セッション制御サーバ装置２ｂに移行させる場合に適用できることの他、（４）移行元セッション制御サーバ装置２ａに障害が発生し、急遽、移行元セッション制御サーバ装置２ａに収容されている加入者を移行先セッション制御サーバ装置２ｂに移行させる必要が生じた場合にも適用することができる。なお、この場合の「加入者の移行」とは、加入者データを移行先セッション制御サーバ装置２ｂに蓄積させることである。
【００３４】
以下、移行元セッション制御サーバ装置２ａに収容されている加入者を全て移行先セッション制御サーバ装置２ｂに移行させる場合を例に説明する。特に、セッション制御サーバ装置２およびＨＳＳ３について説明する。
【００３５】
まず、セッション制御サーバ装置２およびＨＳＳ３の構成について説明する。
【００３６】
（セッション制御サーバ装置２の構成）
図２は、図１の呼処理システムにおけるセッション制御サーバ装置２およびＨＳＳ３の構成例を示す図である。図２は、各装置の特徴的な部分のみを概念的に示している。
【００３７】
セッション制御サーバ装置２は、アドレス管理部２１と、加入者データ制御部２２と、加入者データ蓄積部２３と、セッション制御部２４とを有する。
【００３８】
アドレス管理部２１は、エッジルータ１から送信されるサービスチェンジ信号を受信し、サービスチェンジ信号の受信により、エッジルータ１に接続されている全ての端末装置５に再構成の要求信号を送信し、要求信号に続いて端末装置５との間で、例えばＤＨＣＰ（Dynamic Host Configuration Protocol）による信号の送受信を行う機能を有する。
【００３９】
加入者データ制御部２２は、アドレス管理部２１から、ＤＨＣＰの信号を受信したことが伝えられると、加入者データ蓄積部２３にアクセスし、該当する加入者の加入者データがあるか否かを判断し、加入者データがない場合はＨＳＳ３に要求し、ＨＳＳ３から送信される加入者データを受信し、加入者データ蓄積部２３に蓄積する機能を有する。
【００４０】
また、加入者データ制御部２２は、アドレス管理部２１からサービスチェンジ信号を受信したことが伝えられると、ＨＳＳ３に全移行対象者の加入者データを要求し、ＨＳＳ３から送信される加入者データを受信し、加入者データ蓄積部２３に蓄積する機能を有する。
【００４１】
加入者データ蓄積部２３は、加入者データを蓄積する機能を有する。
【００４２】
セッション制御部２４は、ＳＩＰ信号のＲＥＧＩＳＴＥＲと称される信号（以下、「ＲＥＧＩＳＴＥＲ」）を受信すると登録処理を行い、ＩＮＶＩＴＥと称される信号（以下、「ＩＮＶＩＴＥ」）の受信によりセッション確立処理を行う機能を有する。また、セッション制御部２４は、加入者データ蓄積部２３にアクセスし加入者データを取得する機能を有する。また、セッション制御部２４は、ＨＳＳ３のルーチング情報蓄積部３２にアクセスし、該当のルーチング情報を取得する機能を有する。また、セッション制御部２４は、２００ＯＫと称される信号（以下、「２００ＯＫ」）の受信により応答処理を行う機能を有する。
（ＨＳＳ３の構成）
ＨＳＳ３は、加入者データ蓄積部３１と、ルーチング情報蓄積部３２と、移行先情報蓄積部３３と、移行加入者制御部３４とを有する。
【００４３】
加入者データ蓄積部３１は、ＯＰＳ４から送信される加入者データを蓄積し、さらに移行対象者の情報が送られてくると、該当の加入者データにフラグを設定する機能を有する。
【００４４】
ルーチング情報蓄積部３２は、ＯＰＳ４から送信されるルーチング情報を蓄積する機能を有する。
【００４５】
ルーチング情報は、当初は、移行元セッション制御サーバ装置２ａを使用するときものとなっており、ルーチング情報蓄積部３２は、移行加入者制御部３４からルーチング情報の変更が指示されると、このルーチング情報を移行先セッション制御サーバ装置２ｂを使用するときのルーチング情報に変更する機能を有する。
【００４６】
移行先情報蓄積部３３は、ＯＰＳ４から送信される移行先情報つまり移行対象となる加入者の端末装置５とその移行先である移行先セッション制御サーバ装置２ｂを示す移行先情報を蓄積する機能を有する。
【００４７】
移行加入者制御部３４は、セッション制御サーバ装置２の加入者データ制御部２２から加入者データを要求する信号が送られると、加入者データ蓄積部３１にアクセスし、該当の加入者データを取り出し、フラグが設定されているか、また移行先情報蓄積部３３にアクセスし移行先情報と整合しているかを確認し（正当性を確認し）、確認できたなら、加入者データをセッション制御サーバ装置２の加入者データ制御部２２に送信する機能を有する。
【００４８】
また、移行加入者制御部３４は、ルーチング情報蓄積部３２にアクセスしルーチング情報を変更する機能を有する。
【００４９】
また、移行加入者制御部３４は、セッション制御サーバ装置２の加入者データ制御部２２から全移行対象者の加入者データを要求する信号が送られてくると、加入者データ蓄積部３１にアクセスしフラグが設定されている全加入者データを取り出し、移行先情報蓄積部３３にアクセスし移行先情報と整合しているかを確認し（正当性を確認し）、確認できたなら、加入者データをセッション制御サーバ装置２の加入者データ制御部２２に送信し、ルーチング情報蓄積部３２にアクセスしルーチング情報を変更する機能を有する。
【００５０】
次に、セッション制御サーバ装置２およびＨＳＳ３の動作について説明する。
【００５１】
（セッション制御サーバ装置２の動作）
図３は、図２のセッション制御サーバ装置２の動作例を示すフローチャートである。
【００５２】
アドレス管理部２１が、エッジルータ１から送信されるサービスチェンジ信号を受信し（ステップＡ１）、方式が要求毎投入方式の場合は（ステップＡ２）、エッジルータ１に接続されている全ての端末装置５に再構成の要求信号を送信する（ステップＡ４）。
【００５３】
続いて、加入者データ制御部２２が加入者データ蓄積部２３にアクセスし、該当の加入者の加入者データがあるか否かを判断し（ステップＡ５）、ない場合はＨＳＳ３に加入者データを要求する信号を送信する（ステップＡ６）。
【００５４】
そして、加入者データ制御部２２は、ＨＳＳ３から送信される加入者データを受信し（ステップＡ７）、加入者データ蓄積部２３に蓄積する（ステップＡ８）。この後、ステップＡ９に制御が移行する。
【００５５】
一方、ステップＡ２において方式が二重投入方式の場合は、加入者データ制御部２２がＨＳＳ３に全移行対象者のルーチング情報の変更を要求する信号を送信し（ステップＡ３）、この後、ステップＡ９に制御が移行する。
【００５６】
なお、二重投入方式の場合、加入者データ制御部２２は、予め全移行対象者の加入者データを要求する信号をＨＳＳ３に送信し、ＨＳＳ３の移行加入者制御部３４は、その信号が送られてくると、加入者データ蓄積部３１にアクセスしフラグが設定されている全加入者データを取り出し、移行先情報蓄積部３３にアクセスし移行先情報と整合しているかを確認し（正当性を確認し）、確認できたなら、加入者データを加入者データ制御部２２に送信し、加入者データ制御部２２は、これを加入者データ蓄積部２３に予め蓄積しておく。
【００５７】
さて、セッション制御部２４は、端末装置５から送信されるＳＩＰ信号のＲＥＧＩＳＴＥＲを受信し（ステップＡ９）、登録処理を行い（ステップＡ１０）、ＩＮＶＩＴＥを受信し（ステップＡ１１）、セッション確立処理を行い（ステップＡ１２）、処理する中で、加入者データ蓄積部２３にアクセスして加入者データを取り出し（ステップＡ１３）、また、ＨＳＳ３のルーチング情報蓄積部３２にアクセスして、該当のルーチング情報を取得し（ステップＡ１４）、ＩＮＶＩＴＥを送信する（ステップＡ１５）。かかる呼の処理には、当該加入者データおよびルーチング情報が使用される。
【００５８】
セッション制御部２４は、ステップＡ１１で送信したＩＮＶＩＴＥを受信したセッション制御サーバ装置（図示せず）から送信される２００ＯＫを受信すると（ステップＡ１６）、応答処理を行い（ステップＡ１７）、２００ＯＫ送信する（ステップＡ１８）。
【００５９】
（ＨＳＳ３の動作）
図４は、図２のＨＳＳ３の動作例を示すフローチャートである。
【００６０】
加入者データ蓄積部３１は、ＯＰＳ４から送信される加入者データを蓄積し（ステップＢ１）、ルーチング情報蓄積部３２がＯＰＳ４から送信されるルーチング情報を蓄積している状態にあるときに（ステップＢ２）、加入者データ蓄積部３１がＯＰＳ４から送信される移行対象者の情報に基づき、該当の加入者データにフラグを設定する（ステップＢ３）。移行先情報蓄積部３３はＯＰＳ４から送信される移行先情報を蓄積する（ステップＢ４）。
【００６１】
なお、これにより、加入者データ蓄積部３１には、移行元セッション制御サーバ装置２ａに蓄積されていた加入者データが蓄積され、その加入者データではフラグが設定される。また、移行先情報蓄積部３３には、移行対象となる加入者の端末装置５とその移行先である移行先セッション制御サーバ装置２ｂを示す移行先情報が蓄積される。
【００６２】
方式が要求毎投入方式の場合（ステップＢ５）、移行加入者制御部３４が、セッション制御サーバ装置２の加入者データ制御部２２から送信される、加入者データを要求する信号を受信し（ステップＢ６）、加入者データ蓄積部３１にアクセスし該当の加入者データを取り出し、フラグが設定されているか（ステップＢ７）、また移行先情報蓄積部３３にアクセスし該当する加入者の移行先情報と整合しているかを確認し（正当性を確認し）（ステップＢ８）、確認できたなら、加入者データをセッション制御サーバ装置２の加入者データ制御部２２に送信し（ステップＢ９）、また、ルーチング情報蓄積部３２にアクセスし、該当のルーチング情報を変更する（ステップＢ１０）。
【００６３】
ステップＢ１０では、つまりは、移行元セッション制御サーバ装置２ａを使用するときルーチング情報が移行先セッション制御サーバ装置２ｂを使用するときのルーチング情報に変更される。
【００６４】
ステップＢ５において方式が二重投入方式の場合は、移行加入者制御部３４が、セッション制御サーバ装置２の加入者データ制御部２２から送信される、全移行対象者のルーチング情報の変更を要求する信号を受信すると（ステップＢ１１）、加入者データ蓄積部３１にアクセスしフラグが設定されている全加入者データを取り出し、移行先情報蓄積部３３にアクセスし移行先情報と整合しているかを確認し（ステップＢ１２）、確認できたなら、ルーチング情報蓄積部３２にアクセスし、該当の全ルーチング情報を変更する（ステップＢ１３）。
【００６５】
また、ルーチング情報蓄積部３２は、セッション制御サーバ装置２のセッション制御部２４からルーチング情報が要求されると、該当のルーチング情報をセッション制御部２４へ送信する（ステップＢ１４）。
【００６６】
次に、呼処理システムの動作について説明する。
【００６７】
（呼処理システムの動作）
図５は、図１の呼処理システムの動作例を示すシーケンスチャートである。
【００６８】
図５は端末装置５、エッジルータ１、移行元セッション制御サーバ装置２ａ、移行先セッション制御サーバ装置２ｂ、ＨＳＳ３およびＯＰＳ４の間のシーケンスを示している。
【００６９】
ここでは要求毎投入方式を例に説明する。
【００７０】
ＨＳＳ３の加入者データ蓄積部３１は、ＯＰＳ４から送信される加入者データを蓄積し（ステップＣ１）、ルーチング情報蓄積部３２はＯＰＳ４から送信されるルーチング情報を蓄積する（ステップＣ２）。加入者データ蓄積部３１はＯＰＳ４から送信される移行対象者の情報に基づき該当の加入者データにフラグを設定する（ステップＣ３）。移行先情報蓄積部３３はＯＰＳ４から送信される移行先情報を蓄積する（ステップＣ４）。
【００７１】
エッジルータ１が切り替えの保守者作業にともなってサービスチェンジ信号を送信すると（ステップＣ５）、移行先セッション制御サーバ装置２ｂがこれを受信し、端末装置５に再構成の要求信号を送信する（ステップＣ６）。
【００７２】
移行先セッション制御サーバ装置２ｂは、端末装置５からの応答を受信し（ステップＣ７）、該当の加入者の加入者データがあるか否かを判定し（ステップＣ８）、ない場合はＨＳＳ３に加入者データを要求する信号を送信する（ステップＣ９）。
【００７３】
ＨＳＳ３は、これを受信し正当性を確認し（ステップＣ１０）、確認できたなら、加入者データを移行先セッション制御サーバ装置２ｂに送信する（ステップＣ１１）。
【００７４】
移行先セッション制御サーバ装置２ｂは、加入者データを受信し蓄積する（ステップＣ１２）。
【００７５】
一方、ＨＳＳ３はステップＣ１１において加入者データを送信すると、該当のルーチング情報を変更する（ステップＣ１３）。
【００７６】
端末装置５は、ＲＥＧＩＳＴＥＲを送信すると（ステップＣ１４）、移行先セッション制御サーバ装置２ｂがこれを受信し、登録処理を行い、２００ＯＫ（１）を端末装置５に送信する（ステップＣ１５）。
【００７７】
端末装置５は、これを受信すると、ＩＮＶＩＴＥ（１）を送信する（ステップＣ１６）。
【００７８】
移行先セッション制御サーバ装置２ｂは、これを受信しセッション確立処理を行い、処理する中で、加入者データ蓄積部２３にアクセスして加入者データを取り出し（ステップＣ１７）、ＨＳＳ３のルーチング情報蓄積部３２にアクセスして、該当のルーチング情報を取得し（ステップＣ１８）、ＩＮＶＩＴＥを送信する（ステップＣ１９）。
【００７９】
セッション制御部２４は、ステップＣ１９で送信したＩＮＶＩＴＥを受信したセッション制御サーバ装置（図示せず）から送信される２００ＯＫ（２）を受信し（ステップＣ２０）、応答処理を行い、２００ＯＫ（３）を送信し（ステップＣ２１）、これを端末装置５が受信する。
【００８０】
以上説明したように、本実施の形態によれば、呼処理が複雑にならず、保守稼動が少なく端末装置の帰属先を切り替えることができ、さらに所分割、移転、収容替えなどの事前に計画することができる移行に限らず、事前に計画が立てられない、移行元セッション制御サーバ装置の障害発生により、移行先セッション制御サーバ装置に切り替えるような場合でも、保守稼動が少ないことからサービスの中断時間を短くすることができるようになる。
【００８１】
具体的には、上記のとおり、加入者収容変更方法は、呼処理システムが、移行元セッション制御サーバ装置２ａに蓄積されていた加入者データを移行先セッション制御サーバ装置２ｂに蓄積させるときに行うものである。
【００８２】
呼処理システムは、エッジルータ１を介して端末装置５に接続された移行先セッション制御サーバ装置２ｂと、移行先セッション制御サーバ装置２ｂに接続されたＨＳＳ３（管理サーバ）と、を少なくとも備えて構成される。
【００８３】
要求毎投入方式の場合、管理サーバは、端末装置５についての呼の処理に使用される加入者データが蓄積される加入者データ蓄積部３１と、端末装置５についての呼のルーチングに関する移行元セッション制御サーバ装置２ａを使用するときのルーチング情報が蓄積されるルーチング情報蓄積部３２を少なくとも有し、移行先セッション制御サーバ装置２ｂは、端末装置５についての呼の処理に使用される加入者データを蓄積するための加入者データ蓄積部２３を有して構成される。
【００８４】
そして、要求毎投入方式の場合、加入者収容変更方法は、移行先セッション制御サーバ装置２ｂが、移行先セッション制御サーバ装置２ｂを使用するタイミングにエッジルータ１から送信されるサービスチェンジ信号を受信したなら（図３：Ａ１、図５：Ｃ５）、端末装置５に所定の信号（再構成要求）を送信し（図３：Ａ４、図５：Ｃ６）、移行先セッション制御サーバ装置２ｂが、所定の信号に対する応答を端末装置５から受信したなら（図５：Ｃ７）、加入者データ蓄積部２３を参照し、該当の加入者データの有無を判定し（図３：Ａ５、図５：Ｃ８）、移行先セッション制御サーバ装置２ｂが、該当の加入者データがないと判定されたなら、管理サーバに加入者データを要求し（図３：Ａ６、図５：Ｃ９）、管理サーバが、移行先セッション制御サーバ装置２ｂから加入者データを要求されたなら、加入者データ蓄積部３１から該当の加入者データを読み出し、移行先セッション制御サーバ装置２ｂに送信し（図４：Ｂ９、図５：Ｃ１１）、管理サーバが、移行先セッション制御サーバ装置２ｂから加入者データを要求されたなら（図３：Ａ６、図４：Ｂ６、図５：Ｃ９）、ルーチング情報蓄積部３２において、該当のルーチング情報を移行先セッション制御サーバ装置２ｂを使用するときのルーチング情報に変更し（図４：Ｂ１０、図５：Ｃ１３）、移行先セッション制御サーバ装置２ｂが、管理サーバから送信された加入者データを受信し（図３：Ａ７）、加入者データ蓄積部２３に蓄積するというものである。
【００８５】
また、要求毎投入方式の場合、移行先セッション制御サーバ装置２ｂは、端末装置５についての呼の処理に使用される加入者データを蓄積するための加入者データ蓄積部２３と、移行先セッション制御サーバ装置２ｂを使用するタイミングにエッジルータ１から送信されるサービスチェンジ信号を受信したなら、端末装置５に所定の信号を送信するアドレス管理部２１と、所定の信号に対する応答を端末装置から受信したなら、加入者データ蓄積部２３を参照し、該当の加入者データの有無を判定し、該当の加入者データがないと判定されたなら、管理サーバに要求して、該当の加入者データを受信し、加入者データ蓄積部２３に蓄積させる加入者データ制御部２２と、端末装置５についての呼の処理に際し、加入者データ蓄積部２３から加入者データを読み出すとともに（図３：Ａ１３）、管理サーバに要求して、該当のルーチング情報を受信し（図３：Ａ１４）、当該加入者データおよびルーチング情報を使用して呼の処理（図３：Ａ１５〜Ａ１８）を行うセッション制御部２４と少なくともを有するように構成される。
【００８６】
また、要求毎投入方式の場合、管理サーバは、端末装置５についての呼の処理に使用される加入者データが蓄積される加入者データ蓄積部３１と、端末装置５についての呼のルーチングに関する移行元セッション制御サーバ装置２ａを使用するときのルーチング情報が蓄積されるルーチング情報蓄積部３２と、移行先セッション制御サーバ装置２ｂを使用するタイミングにエッジルータ１から送信されるサービスチェンジ信号を移行先セッション制御サーバ装置２ｂが受信したことにより、移行先セッション制御サーバ装置２ｂからいずれかの加入者データを要求されたなら、加入者データ蓄積部３１から該当の加入者データを読み出し、移行先セッション制御サーバ装置２ｂに送信するとともに、ルーチング情報蓄積部３２における該当のルーチング情報を移行先セッション制御サーバ装置２ｂを使用するときのルーチング情報に変更する一方、移行先セッション制御サーバ装置２ｂから呼の処理に使用するルーチング情報を要求されたなら、ルーチング情報蓄積部３２から該当のルーチング情報を読み出し、移行先セッション制御サーバ装置２ｂに送信する移行加入者制御部３４とを少なくとも有するように構成される。
【００８７】
一方、二重投入方式の場合、管理サーバは、端末装置５についての呼のルーチングに関する移行元セッション制御サーバ装置２ａを使用するときのルーチング情報が蓄積されるルーチング情報蓄積部３２を少なくとも有し、移行先セッション制御サーバ装置２ｂは、端末装置５についての呼の処理に使用される加入者データを蓄積するための加入者データ蓄積部２３を少なくとも有するように構成される。
【００８８】
そして、二重投入方式の場合、加入者収容変更方法は、移行先セッション制御サーバ装置２ｂが、管理サーバから送信される加入者データを加入者データ蓄積部２３に予め蓄積しておき、移行先セッション制御サーバ装置２ｂが、移行先セッション制御サーバ装置２ｂを使用するタイミングにエッジルータ１から送信されるサービスチェンジ信号を受信したなら（図３：Ａ１、図５：Ｃ５）、管理サーバに全ルーチング情報の変更を要求し（図３：Ａ３、図４：Ｂ１１）、管理サーバが、移行先セッション制御サーバ装置２ｂから全ルーチング情報の変更を要求されたなら、ルーチング情報蓄積部３２における全ルーチング情報を移行先セッション制御サーバ装置２ｂを使用するときのルーチング情報に変更するというものである。この場合、全ルーチング情報とは、全ての移行対象者についてのルーチング情報である。
【００８９】
また、二重投入方式の場合、移行先セッション制御サーバ装置２ｂは、端末装置５についての呼の処理に使用される加入者データが予め蓄積される加入者データ蓄積部２３と、移行先セッション制御サーバ装置２ｂを使用するタイミングにエッジルータ１から送信されるサービスチェンジ信号を受信したなら、管理サーバに全ルーチング情報の変更を要求する加入者データ制御部２２と、端末装置５についての呼の処理に際し、加入者データ蓄積部２３から加入者データを読み出すとともに、管理サーバに要求して、該当のルーチング情報を受信し、当該加入者データおよびルーチング情報を使用して呼の処理を行うセッション制御部２４とを少なくとも有するように構成される。
【００９０】
また、二重投入方式の場合、管理サーバは、端末装置５についての呼のルーチングに関する移行元セッション制御サーバ装置２ａを使用するときのルーチング情報が蓄積されるルーチング情報蓄積部３２と、移行先セッション制御サーバ装置２ｂを使用するタイミングにエッジルータ１から送信されるサービスチェンジ信号を移行先セッション制御サーバ装置２ｂが受信したことにより、移行先セッション制御サーバ装置２ｂから全ルーチング情報の変更を要求されたなら、ルーチング情報蓄積部３２における全ルーチング情報を移行先セッション制御サーバ装置２ｂを使用するときのルーチング情報に変更する一方、移行先セッション制御サーバ装置２ｂから呼の処理に使用するルーチング情報を要求されたなら、ルーチング情報蓄積部３２から該当のルーチング情報を読み出し、移行先セッション制御サーバ装置２ｂに送信する移行加入者制御部３４とを少なくとも有するように構成される。
【００９１】
なお、本実施の形態に係る加入者収容変更方法をコンピュータに実行させるためのコンピュータプログラム、移行先セッション制御サーバ装置２ｂとしてコンピュータを機能させるためのコンピュータプログラム、ＨＳＳ３（管理サーバ）としてコンピュータを機能させるためのコンピュータプログラムは、いずれも半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００９２】
１…エッジルータ
２…セッション制御サーバ装置
２ａ…移行元セッション制御サーバ装置
２ｂ…移行先セッション制御サーバ装置
３…ＨＳＳ（管理サーバ）
４…ＯＰＳ
５…端末装置
２１…アドレス管理部
２２…加入者データ制御部
２３…加入者データ蓄積部
２４…セッション制御部
３１…加入者データ蓄積部
３２…ルーチング情報蓄積部
３３…移行先情報蓄積部
３４…移行加入者制御部
【図１】
2011172056.tif 000003
【図２】
2011172056.tif 000004
【図３】
2011172056.tif 000005
【図４】
2011172056.tif 000006
【図５】
2011172056.tif 000007